(57)【要約】      （修正有）【課題】ボードを支持する支持体が破裂して運動器具が使用不可になる虞がなく、また、使用者がボードの上に立つだけで、ボードを前後左右にランダムに揺動させることが可能となる、低コストで使い勝手の良好な運動器具を提供する。【解決手段】運動器具１は、基台２と、基台２に左右一対の弾性支持体３、４を介して連結されたボード５と、を備えている。弾性支持体３、４は、それぞれ、複数の金属製弾性片（板ばね）６を、それぞれ円弧状に撓んだ状態となるように両極部で相互に固定することで形成された、略球形のばね部を有する球状サスペンションである。【選択図】図１
0003227883.tif 000002
【実用新案登録請求の範囲】
【請求項１】
基台と、前記基台に弾性支持体を介して連結されたボードと、を備えた運動器具であって、
前記弾性支持体は、複数の金属製弾性片を、それぞれ円弧状に撓んだ状態となるように両極部で相互に固定することで形成された、略球形のばね部を有する球状サスペンションであることを特徴とする運動器具。
【請求項２】
前記基台上に、前記ボードの一定以上の傾きを規制するストッパが設けられた、請求項１に記載の運動器具。
【請求項３】
前記ボードに、内部が空洞の箱体と、前記箱体の内部に収容された複数の粒状体と、からなる波音（なみおと）発生器が設けられた、請求項１又は２に記載の運動器具。
【考案の詳細な説明】
【技術分野】
【０００１】
本考案は、運動器具に関する。さらに詳細には、本考案は、体幹を鍛えてバランス感覚を養うために使用され、姿勢改善やシェイプアップ効果が期待できる運動器具に関する。
【背景技術】
【０００２】
体幹とは、手、足、頭等、胴体部に繋がっている部分を機能的に活かすための根幹の部分（胸部、背中部、腹部、腰部、腹筋、尻部等）である。体幹を鍛えることで、バランス感覚が養われ、姿勢が良くなったり、基礎代謝が向上したりするなどと言われており、体幹を鍛えるための運動器具も種々開発され提案されている（例えば、特許文献１，２等を参照）。
【０００３】
特許文献１に開示された運動器具は、使用者が乗るか、又は、乗り降りするためのボードと、柔軟性を有する変形可能な材料により形成されて、内部に空気や水等の流体が充填されると共に、前記ボードを上下方向に揺動可能に下方で支持する支持体と、を有することを特徴としている。
また、特許文献２に開示された運動器具は、
ブラケットがそれぞれに取り付けられた２本の短いロッドと、接続プレートがそれぞれに取り付けられた、長方形を形作るように前記２本の短いロッドの間に挟まれかつこれらに固定された２本の細長いロッドと、から成るベースと、
シリンダと、該シリンダの一端部から伸び、前記ブラケットに回転可能に接続されたピストンロッドと、を有するクッション装置と、
サポートプレートと、該サポートプレートの底面から伸び、前記２本のシリンダの他端部と結合されたサポートロッドと、を有するサポートと、
前記サポートプレートに固定されたボードと、を含むことを特徴としている。  特許文献２では、クッション装置及びサポートが、ボードを支持する支持体となっている。
【先行技術文献】
【特許文献】
【０００４】
【特許文献１】実用新案登録第３１３８０８１号公報
【特許文献２】実用新案登録第３１１１９３５号公報
【考案の概要】
【考案が解決しようとする課題】
【０００５】
しかし、特許文献１に開示された運動器具には、次のような課題があった。すなわち、ボードを支持する支持体が、柔軟性を有する変形可能な材料により形成されて、内部に空気や水等の流体が充填される構成のものであるため、当該支持体が破裂して運動器具が使用不可になる虞があった。また、これを回避するために支持体の硬度を高くすると、ボードが揺動しにくくなって体幹を鍛えることが困難になるという課題もあった。
また、特許文献２に開示された運動器具には、次のような課題があった。すなわち、まず、支持体が複雑な構造となっており、製造コストが高くなるという課題があった。さらに、ボード自体は、特許文献２の例えば図３の紙面に平行な面内でのみ揺動可能となっており、左右方向の揺動運動（特許文献２の図３，図４を参照）から前後方向の揺動運動（特許文献２の図５，図６を参照）に切り替えるために、使用者は、ボードの上でバランスをとりながら足の向き（及び身体の向き）を変えなければならず、使い勝手が悪いという課題もあった。
【０００６】
本考案は、従来技術における前記課題を解決するためになされたものであり、ボードを支持する支持体が破裂して運動器具が使用不可になる虞がなく、また、使用者がボードの上に立つだけで、ボードを前後左右にランダムに揺動させることが可能となる、使い勝手の良好な運動器具を低コストで提供することを目的とする。
【課題を解決するための手段】
【０００７】
前記目的を達成するため、本考案に係る運動器具の構成は、
（１）基台と、前記基台に弾性支持体を介して連結されたボードと、を備えた運動器具であって、
前記弾性支持体は、複数の金属製弾性片を、それぞれ円弧状に撓んだ状態となるように両極部で相互に固定することで形成された、略球形のばね部を有する球状サスペンションであることを特徴とする。
【０００８】
本考案の運動器具の上記（１）の構成によれば、ボードを支持する弾性支持体が、複数の金属製弾性片を、それぞれ円弧状に撓んだ状態となるように両極部で相互に固定することで形成された、略球形のばね部を有する球状サスペンションであり、十分な剛性と弾性を有すると共に、簡単な構造で低コストなものとなっている。
従って、ボードを支持する弾性支持体が破裂して運動器具が使用不可になる虞がなく、また、使用者がボードの上に立つだけで、ボードを前後左右にランダムに揺動させることが可能となる、使い勝手の良好な運動器具を低コストで提供することができる。
そして、この運動器具を使用すれば、使用者がボードの上に立ったときに、あたかも海面の上にいるような不安定な状況を作り出すことが可能となる。その結果、使用者は、ボードの、このような不安定な動き（前後左右の揺動）によって姿勢が取りにくくなり、バランスを取ろうとして体幹に力を入れることにより、普段使わないお腹まわりの筋肉を使うことが可能となる。より具体的には、姿勢を安定させようという力が働くため、体幹を支える「インナーマッスル」がしっかりと働き、さらに外側の筋肉とも連動して、相互に鍛え合ってバランスの取れた筋肉が付いていくこととなる。
以上のように、上記（１）の構成を有する本考案の運動器具を使用すれば、体幹を鍛えてバランス感覚を養うことができ、これにより、姿勢改善やシェイプアップ効果が期待できる。
【０００９】
本考案の運動器具の上記（１）の構成においては、以下の（２），（３）のような構成にすることが好ましい。
【００１０】
（２）前記基台上に、前記ボードの一定以上の傾きを規制するストッパが設けられている。
【００１１】
上記（２）の好ましい構成によれば、使用者が運動器具のボードの上に立ったときに、前記ボードが傾きすぎることはないので、運動器具の使用中に使用者が転倒してしまうことを防止することができる。
【００１２】
（３）前記ボードに、内部が空洞の箱体と、前記箱体の内部に収容された複数の粒状体と、からなる波音（なみおと）発生器が設けられている。
【００１３】
上記（３）の好ましい構成によれば、使用者が運動器具のボードの上に立ったときに、当該ボードの前後左右の揺動に伴って、粒状体を箱体の内底面上で転がして、波音（なみおと）のような音を発生させることができる。このため、使用者は、あたかも実際の海で波の上に乗っているような感覚を味わうことが可能となる。
【考案の効果】
【００１４】
本考案によれば、ボードを支持する支持体が破裂して運動器具が使用不可になる虞がなく、また、使用者がボードの上に立つだけで、ボードを前後左右にランダムに揺動させることが可能となる、使い勝手の良好な運動器具を低コストで提供することができる。
そして、この運動器具を使用すれば、体幹を鍛えてバランス感覚を養うことができ、これにより、姿勢改善やシェイプアップ効果が期待できる。
【図面の簡単な説明】
【００１５】
【図１】本考案の一実施形態における運動器具の構成を示す斜視図
【図２】本考案の一実施形態における運動器具の構成を斜め上方から見た状態を示す斜視図
【図３】本考案の一実施形態における運動器具の構成を正面側の斜め上方から見た状態を示す分解斜視図
【図４】本考案の一実施形態における運動器具の構成を斜め下方から見た状態を示す分解斜視図
【図５】本考案の一実施形態における運動器具の構成を右側面側から見た状態を示す斜視図
【図６】図２のVI−VI線矢視断面図
【図７】本考案の一実施形態における運動器具の使用状態を示す斜視図
【考案を実施するための形態】
【００１６】
以下、好適な実施形態を用いて本考案をさらに具体的に説明する。但し、下記の実施形態は本考案を具現化した例に過ぎず、本考案はこれに限定されるものではない。
【００１７】
（運動器具の構成）
まず、本考案の一実施形態における運動器具の構成について、図１〜図６を参照しながら説明する。
【００１８】
図１は、本考案の一実施形態における運動器具の構成を示す斜視図、図２は、当該運動器具の構成を斜め上方から見た状態を示す斜視図、図３は、当該運動器具の構成を正面側の斜め上方から見た状態を示す分解斜視図、図４は、当該運動器具の構成を斜め下方から見た状態を示す分解斜視図、図５は、当該運動器具の構成を右側面側から見た状態を示す斜視図、図６は、図２のVI−VI線矢視断面図である。
【００１９】
図１〜図６に示すように、本実施形態の運動器具１は、基台２と、基台２に左右一対の弾性支持体３，４を介して連結されたボード５と、を備えている。
基台２は、４つの角（かど）が丸く面取りされた、左右に長い略長方形板状に形成されている。
ボード５は、右方に円弧状に突出した部分を有する以外は、基台２と略同じ形状をしている。
弾性支持体３，４は、それぞれ、複数の金属製弾性片６を、それぞれ円弧状に撓んだ状態となるように両極部で相互に固定することで形成された、略球形のばね部を有する球状サスペンションである。
【００２０】
基台２は、例えば合板又は硬質プラスチック等の硬質材料で形成されている。
弾性支持体３，４をそれぞれ構成する金属製弾性片６は、例えば鋼鉄やステンレス等、剛性と弾性とを有する金属製の板材で形成されている。
ボード５は、ボード本体５ａと、ボード本体５ａの上面に形成された長方形状の凹所５ｂと、凹所５ｂ内に貼り付けられた長方形板状の滑り止め部材５ｃと、により構成されている。滑り止め部材５ｃは、運動器具１の使用者１０がボード５の上に立ったときに（図７を参照）、使用者１０の足が滑って転倒する可能性を軽減するためのものである。ボード本体５ａは、例えば合板又は硬質プラスチック等の硬質材料で形成され、滑り止め部材５ｃは、例えばゴム又はポリ塩化ビニル等で形成されている。また、滑り止め部材５ｃの表面には、エンボス加工により、小さなつぶつぶの突起が形成されている。そして、これにより、運動器具１の使用中に、使用者１０の足の裏を程よく刺激して血行を促進できるようにされている。
【００２１】
本実施形態の運動器具１の構成によれば、ボード５を支持する弾性支持体３，４が、複数の金属製弾性片６を、それぞれ円弧状に撓んだ状態となるように両極部で相互に固定することで形成された、略球形のばね部を有する球状サスペンションであり、十分な剛性と弾性を有すると共に、簡単な構造で低コストなものとなっている。
従って、ボード５を支持する弾性支持体３，４が破裂して運動器具１が使用不可になる虞がなく、また、使用者１０がボード５の上に立つだけで、ボード５を前後左右にランダムに揺動させることが可能となる、使い勝手の良好な運動器具１を低コストで提供することができる。
そして、この運動器具１を使用すれば、使用者１０がボード５の上に立ったときに、あたかも海面の上にいるような不安定な状況を作り出すことが可能となる。その結果、使用者１０は、ボード５の、このような不安定な動き（前後左右の揺動）によって姿勢が取りにくくなり、バランスを取ろうとして体幹に力を入れることにより、普段使わないお腹まわりの筋肉を使うことが可能となる。より具体的には、姿勢を安定させようという力が働くため、体幹を支える「インナーマッスル」がしっかりと働き、さらに外側の筋肉とも連動して、相互に鍛え合ってバランスの取れた筋肉が付いていくこととなる。
以上のように、本実施形態の運動器具１を使用すれば、体幹を鍛えてバランス感覚を養うことができ、これにより、姿勢改善やシェイプアップ効果が期待できる。
【００２２】
以下、さらに詳細に説明する。
図３，図４に示すように、弾性支持体３，４のばね部は、それぞれ、略円環状の４つの板ばね（金属製弾性片）６によって形成されている。すなわち、これら４つの板ばね６を、周方向に所定の角度間隔をあけて配置することにより、略球形のばね部が形成されている。
板ばね６の寸法は、例えば、長さ約３００ｍｍ、幅約１０ｍｍ、厚さ約０．３ｍｍである。なお、板ばね６の長さ、幅、厚さは、ばね部を形成する際に十分な剛性と弾性が得られるものであれば、どのようなものであってもよい。
【００２３】
板ばね６の上下面の中央（両極部）には、それぞれ、ボルト挿通孔６ａ，６ｂが穿設されている。基台２の上面には、左右一対のボルト１１，１１が上方に向けてしっかりと立設固定されている。また、ボード５の下面には、左右一対のボルト１３，１３が下方に向けてしっかりと立設固定されている。
そして、各板ばね６は、まず、ボルト挿通孔６ｂ同士が重ね合わされた状態で、当該ボルト挿通孔６ｂが基台２の上面に立設固定されたボルト１１に挿通され、ばね部の内側から当該ボルト１１にナット１２が螺合される。次いで、各板ばね６は、ボルト挿通孔６ａ同士が重ね合わされた状態で、当該ボルト挿通孔６ａがボード５の下面に立設固定されたボルト１３に挿通され、ばね部の内側から当該ボルト１３にナット１４が螺合される。これにより、ボード５が、球状サスペンションである左右一対の弾性支持体３，４を介して基台２に連結された状態となる。
【００２４】
図１，図４〜図６に示すように、基台２の下面には、四隅と前後の縁部の中央に計６個の短い脚７が設けられている。脚７は、基台２と同じ材料で円柱状に形成されている。
かかる構成によれば、運動器具１を床、地面等の平らな面上に設置したときに、基台２の下に空間ができるので、当該空間に左右の手を入れて運動器具１を簡単に持ち上げることができる。その結果、弾性支持体３，４に負荷をかけることなく、運動器具１を安全に持ち運びすることが可能となる。
【００２５】
図１〜図６に示すように、基台２の上面の四隅には、ボード５の一定以上の傾きを規制するストッパ８が設けられている。ストッパ８は、基台２と同じ材料で円錐台状に形成されている。
かかる構成によれば、使用者１０が運動器具１のボード５の上に立ったときに、当該ボード５が傾きすぎることはないので、運動器具１の使用中に使用者１０が転倒してしまうことを防止することができる。
【００２６】
図３〜図６に示すように、ボード５の裏面の右側には、波音（なみおと）発生器９が固定状態で設けられている。
図６に示すように、波音発生器９は、内部が空洞の段ボール製の箱体９ａと、当該箱体９ａの内部に収容された複数の粒状体９ｂと、からなっている。粒状体９ｂとしては、例えば、小豆や大豆等を用いることができる。
【００２７】
このような構成の波音発生器９を設けたことにより、使用者１０が運動器具１のボード５の上に立ったときに（図７を参照）、当該ボード５の前後左右の揺動に伴って、小豆等の粒状体９ｂを段ボール製の箱体９ａの内底面上で転がして、波音（なみおと）のような音を発生させることができる。このため、使用者１０は、あたかも実際の海で波の上に乗っているような感覚を味わうことが可能となる。
【００２８】
なお、箱体９ａの内底面に和紙をピンと張った状態にすれば、さらに波音（なみおと）により近い音を発生させることが可能となる。また、箱体９ａとしては、例えば、柳（やなぎ）や竹で編んだものを用いることもでき、これによっても、波音（なみおと）により近い音を発生させることが可能となる。
【００２９】
（運動器具の使用方法）
次に、本実施形態における運動器具の使用方法について、図７をも参照しながら説明する。
【００３０】
図７は、本考案の一実施形態における運動器具の使用状態を示す斜視図である。
【００３１】
まず、図１に示すように、基台２の下の空間に左右の手を入れて運動器具１を持ち上げ、当該運動器具１を、床、地面等の平らな面上に設置する。
【００３２】
次いで、図７に示すように、使用者１０は、補助台（図示せず）を使う等して、運動器具１のボード５の上に立つ。
すると、弾性支持体３，４の作用により、ボード５が前後左右にランダムに揺動する。すなわち、ボード５の上に立ったとき、使用者１０は、あたかも海面の上にいるような不安定な状況となる。
使用者１０は、ボード５の、このような不安定な動き（前後左右の揺動）によって姿勢が取りにくくなり、バランスを取ろうとして体幹に力を入れるため、普段使わないお腹まわりの筋肉を使うこととなる。
より具体的には、姿勢を安定させようという力が働くため、体幹を支える「インナーマッスル」がしっかりと働き、さらに外側の筋肉とも連動して、相互に鍛え合ってバランスの取れた筋肉が付いていく。
【００３３】
従って、本実施形態の運動器具１を使用すれば、体幹を鍛えてバランス感覚を養うことができ、これにより、姿勢改善やシェイプアップ効果が期待できる。
【００３４】
なお、本実施形態においては、弾性支持体３，４のばね部が、それぞれ、略円環状の４つの板ばね（金属製弾性片）６によって形成されている場合を例に挙げて説明した。しかし、本考案は必ずしもこのような構成に限定されるものではない。板ばね（金属製弾性片）は、例えば、１つの部材を用いて略円環状に形成したものであっても、２つの部材を用いて略円環状に形成したものであってもよい。また、金属製弾性片の形状は、ばね部を形成した際に十分な剛性と弾性とが得られるものであれば、どのような形状であってもよい。例えば、金属製弾性片は、上記のような板状のもの（板ばね）であってもよいし、他の形状、例えば、断面が略円形、略楕円形、略多角形等の棒状であってもよい。
【００３５】
また、本実施形態においては、ボード５が、球状サスペンションである左右一対の弾性支持体３，４を介して基台２に連結されている場合を例に挙げて説明した。しかし、本考案は必ずしもこのような構成に限定されるものではない。球状サスペンションである弾性支持体の個数は、例えば、1個であっても３個以上であってもよい。
【００３６】
また、本実施形態においては、基台２の上面の四隅に、ボード５の一定以上の傾きを規制するストッパ８が設けられている場合を例に挙げて説明した。しかし、本考案は必ずしもこのような構成に限定されるものではない。ストッパ８を設けるか否かは任意であり、ストッパ８を設ける場合には、基台２の上面の四隅以外の場所、例えば、基台２の各縁部の中央に設けるようにしてもよい。
また、本実施形態においては、ストッパ８が基台２と同じ材料で円錐台状に形成されている場合を例に挙げて説明した。しかし、本考案は必ずしもこのような構成に限定されるものではない。ストッパの材料及び形状は任意である。なお、ストッパの上部をコイルばね等の弾性体で形成すれば、ボード５がストッパに当たるときの衝撃を小さくして、ボード５ひいては使用者１０に与えるダメージを軽減することができる。
【００３７】
また、本実施形態においては、ボード５の裏面の右側に、波音（なみおと）発生器９が設けられている場合を例に挙げて説明した。しかし、本考案は必ずしもこのような構成に限定されるものではない。波音発生器９を設けるか否かは任意であり、波音発生器を設ける場合には、例えば、ボード５の裏面の前後の縁部に設けるようにしてもよい。
【００３８】
また、本実施形態においては、運動器具１の使用方法として、当該運動器具１のボード５の上に立ってバランスを取るように運動する場合を例に挙げて説明した。しかし、本考案の運動器具の使用方法は必ずしもこのような態様のものに限定されるものではない。使用者の工夫によって色々な使い方が可能である。例えば、運動器具１のボード５の上に両手と片足をつき、もう片方の脚をピンと伸ばしたままバランスを取るように運動することによっても、上記の使用方法と同様の効果を得ることができる。
【符号の説明】
【００３９】
１  運動器具
２  基台
３，４  弾性支持体
５  ボード
５ａ  ボード本体
５ｂ  凹所
５ｃ  滑り止め部材
６  金属製弾性片（板ばね）
６ａ，６ｂ  ボルト挿通孔
７  脚
８  ストッパ
９  波音（なみおと）発生器
９ａ  箱体
９ｂ  粒状体
１０  使用者
１１，１３  ボルト
１２，１４  ナット
【図１】
0003227883.tif 000003
【図２】
0003227883.tif 000004
【図３】
0003227883.tif 000005
【図４】
0003227883.tif 000006
【図５】
0003227883.tif 000007
【図６】
0003227883.tif 000008
【図７】
0003227883.tif 000009